(57)【要約】【課題】電池の劣化状態を検出する。【解決手段】カメラは、電池から電力の供給を受け、前記供給を受けた電力によって機能させる負荷に、前記電力の一部を供給する。カメラは、前記電池の電源電圧を繰り返し検出する電圧検出部と、第１機能を働かせている第１の状態と、前記第１機能を休止させている第２の状態とがあり、前記第１の状態においてそれぞれ検出された前記電源電圧を平均した第１平均電圧と、前記第２の状態においてそれぞれ検出された前記電源電圧を平均した第２平均電圧との関係に基づいて、前記電池の蓄電量を判定する判定部と、前記判定された蓄電量に応じて前記負荷に供給する電力を制御する電力供給制御部とを備える。【選択図】図１
2013152280.tif 000002
【特許請求の範囲】
【請求項１】
電池から電力の供給を受け、前記供給を受けた電力によって機能させる負荷に、前記電力の一部を供給するカメラであって、
前記電池の電源電圧を繰り返し検出する電圧検出部と、
第１機能を働かせている第１の状態と、前記第１機能を休止させている第２の状態とがあり、前記第１の状態においてそれぞれ検出された前記電源電圧を平均した第１平均電圧と、前記第２の状態においてそれぞれ検出された前記電源電圧を平均した第２平均電圧との関係に基づいて、前記電池の蓄電量を判定する判定部と、
を備えることを特徴とするカメラ。
【請求項２】
前記判定部は、
前記第１平均電圧と前記第２平均電圧との差が、予め定められる第１の所定の値より大きいか否かを判定する
ことを特徴とする請求項１に記載のカメラ。
【請求項３】
前記判定部は、
前記第１平均電圧と前記第２平均電圧との差が、前記第１の所定の値より大きいか否かを判定した結果と、前記第１平均電圧と前記第２平均電圧との何れかが予め定められる第２の所定の値より小さいか否かを判定した結果とに基づいて前記電池の蓄電量を判定する
ことを特徴とする請求項２に記載のカメラ。
【請求項４】
前記判定部は、
前記第１の状態を継続させる第１の時間より短い第２の時間の範囲内で、一連の動作を行うことができる第２機能があり、前記第１の時間より短く、且つ、前記第２の時間より長くなるように定められている第３の時間の範囲内に、それぞれ検出された前記電源電圧を平均して前記第１平均電圧を算出する
ことを特徴とする請求項２から請求項３の何れか１項に記載のカメラ。
【請求項５】
前記電池が交換可能であり、該電池が交換されたことを検出する電池交換検出部
を備え、
前記判定部は、
前記電池交換検出部により前記電池の交換が検出された時点から、予め定められる所定の期間において、前記第１平均電圧と前記第２平均電圧との差に基づいて判定する
ことを特徴とする請求項２から請求項４の何れか１項に記載のカメラ。
【請求項６】
前記判定部は、
前記電池交換検出部により前記電池の交換が検出された時点から、予め定められる所定の時間が経過するまでの期間を前記所定の期間とする
ことを特徴とする請求項５に記載のカメラ。
【請求項７】
撮影処理により撮影した回数を計数し、該計数した結果を記憶領域に記憶する撮影回数計数部
を備え、
前記判定部は、
前記電池交換検出部により前記電池の交換が検出された時点から、前記撮影した回数が所定の回数に達するまでの期間を前記所定の期間とする
ことを特徴とする請求項５に記載のカメラ。
【請求項８】
前記判定部は、
前記所定の期間が経過した後に、前記第１平均電圧と前記第２平均電圧との差が予め定められる前記第１の所定の値より大きいか否かを判定し、且つ、前記第１平均電圧が予め定められる前記第２の所定の値より小さいか否かを判定する
ことを特徴とする請求項３に記載のカメラ。
【請求項９】
前記判定部は、
前記電池の種別を示す種別情報に基づいて定められている前記所定の値により判定する
ことを特徴とする請求項５から請求項７の何れか１項に記載のカメラ。
【請求項１０】
前記第１機能は、前記撮影処理に係る機能である
ことを特徴とする請求項７に記載のカメラ。
【請求項１１】
備えている受光面が受けた光量に基づいて撮像する撮像部と、
着脱可能なアクセサリーを装着する接続部と、
前記アクセサリーを前記負荷として前記電池から供給する電力を制御する制御部
を備え、
前記アクセサリーは、前記撮像部の受光面に像を結像させる交換レンズを含む、
ことを特徴とする請求項１から請求項１０の何れか１項に記載のカメラ。
【請求項１２】
前記アクセサリーは、前記光量が増えるように補助光を照射する照明装置を含む
ことを特徴とする請求項１１に記載のカメラ。
【請求項１３】
前記アクセサリーは、配置されている位置を検出する位置検出装置を含む
ことを特徴とする請求項１１又は請求項１２に記載のカメラ。
【請求項１４】
電池から電力の供給を受け、前記供給を受けた電力の一部をアクセサリーに供給するカメラが備えるコンピュータに、
前記電池の電源電圧を検出部が検出する検出ステップと、
第１機能を機能させている第１の状態と、前記第１機能を機能させていない第２の状態とがあり、前記第１の状態において検出された前記電源電圧を平均した第１平均電圧と、前記第２の状態において検出された前記電源電圧を平均した第２平均電圧との関係に基づいて、前記電池の蓄電量を判定部が判定する判定ステップと、
を実行させるためのプログラム。
【発明の詳細な説明】
【技術分野】
【０００１】
本発明は、カメラ、及びプログラムに関する。
【背景技術】
【０００２】
電池を電源とするカメラは、ユーザーに対して電池の消耗状態（電池残量表示）を表示している。このような電池の消耗状態の表示は、電池の電圧に基づいて検出して表示している場合がある。ただし、電池の電圧（電池の残量情報）に基づいて電池の劣化状態を正確に検出することは困難である。そのため、等価的に検出した電池の内部抵抗値の大きさにより電池の劣化状態を推定したり（例えば特許文献１、２参照）、電池より取り出した電流値を所定値と比較して電池の劣化状態を検出したり（例えば特許文献３参照）するなどの方法により電池の状態を検出する技術が知られている。
【０００３】
また、カメラボディに装着されるレンズ（交換レンズ）を交換可能とする近年のカメラ（カメラシステム）においては、交換レンズ内にモーター、マイコン（ＣＰＵ）等の電気的な負荷が存在する製品が増えている。カメラボディは、カメラボディ内の駆動部（負荷）と交換レンズ内の駆動部（負荷）に電力を供給し、それぞれの駆動部（負荷）を駆動させて撮影処理を行う。このようにカメラボディは、カメラボディと交換レンズとにおける電気的な負荷に供給する電力が増大している。
【先行技術文献】
【特許文献】
【０００４】
【特許文献１】特公平７−９２５３２２号公報
【特許文献２】特許第３２９４３９４号公報
【特許文献３】特開２００９−２０６８３９号公報
【発明の概要】
【発明が解決しようとする課題】
【０００５】
しかしながら、このようなカメラ（カメラシステム）のカメラボディにおいては、撮影動作時におけるほとんどの時間において、交換レンズ内の電気的な負荷が継続的に電力を消費している。電気的な負荷が継続的に電力を消費している場合に、電池の残量を正確に測ることは困難である。例えば、特許文献１及び２によれば、電池の負荷としてダミーの負荷を接続して、電池の状態を検出する技術が示されている。ただし、カメラボディが撮影動作を行う状態になった場合には、継続的に電池から駆動部（負荷）に電力を供給させることが必要であり、電池の負荷をダミーの負荷だけに切り換えることができない。このように、カメラボディが撮影動作を行う状態になった場合には、継続的に電池から駆動部（負荷）に電力を供給させることが必要であり、電池の負荷をダミーの負荷に切り換えることが困難であることから、特許文献１及び２の技術を適用することができない。
【０００６】
また、特許文献３によれば、負荷である電子機器（携帯電話）に電池から電流を供給する状態と、上記電流を供給しない状態とにおいて、それぞれ検出された消費電流値とに基づいて、電池（電源）から供給された電流消費量を算出する技術が示されている。ただし、カメラボディが撮影動作を行う状態になった場合には、上記のように電源から負荷（駆動部）への電流の供給を中断することができない。このことから、電池から負荷（駆動部）に電流を供給しない状態の消費電流を検出することが困難であり、特許文献３の技術をカメラ（カメラシステム）に適用することができない。
このように、上記のカメラシステムにおいて、特許文献１から３に記載の何れの技術も適用できず、電池の内部抵抗を適切に検出する機会が撮影中に得られないことから、電池の劣化状態の検出が困難であるという問題があった。
【０００７】
本発明は、このような事情に鑑みてなされたもので、その目的は、電池の劣化状態を検出するカメラ、及びプログラムを提供することにある。
【課題を解決するための手段】
【０００８】
この発明は上述した課題を解決するためになされたもので、本発明は、電池から電力の供給を受け、前記供給を受けた電力によって機能させる負荷に、前記電力の一部を供給するカメラであって、前記電池の電源電圧を繰り返し検出する電圧検出部と、第１機能を働かせている第１の状態と、前記第１機能を休止させている第２の状態とがあり、前記第１の状態においてそれぞれ検出された前記電源電圧を平均した第１平均電圧と、前記第２の状態においてそれぞれ検出された前記電源電圧を平均した第２平均電圧との関係に基づいて、前記電池の蓄電量を判定する判定部と、を備えることを特徴とするカメラである。
【０００９】
また、本発明は、電池から電力の供給を受け、前記供給を受けた電力の一部をアクセサリーに供給するカメラが備えるコンピュータに、前記電池の電源電圧を検出部が検出する検出ステップと、第１機能を機能させている第１の状態と、前記第１機能を機能させていない第２の状態とがあり、前記第１の状態において検出された前記電源電圧を平均した第１平均電圧と、前記第２の状態において検出された前記電源電圧を平均した第２平均電圧との関係に基づいて、前記電池の蓄電量を判定部が判定する判定ステップと、を実行させるためのプログラムである。
【発明の効果】
【００１０】
この発明によれば、電池の劣化状態を検出することができる。
【図面の簡単な説明】
【００１１】
【図１】この発明の実施形態による撮像装置の構成を示す概略ブロック図である。
【図２】撮像装置１にアクセサリー４００を接続した構成の一例を示す概略ブロック図である。
【図３】カメラボディに搭載された電池が比較的新しい場合の電源電圧の変化を示す図である。
【図４】カメラボディに搭載された電池が比較的劣化した場合の電源電圧の変化を示す図である。
【図５】カメラボディを起動してから撮影処理を可能とする状態に到るまでを示すフローチャートである。
【発明を実施するための形態】
【００１２】
以下、図面を参照して、本発明の実施の形態について説明する。なお各図に共通の構成には同じ符号を附す。
【００１３】
図１は、この発明の実施形態による撮像装置の構成を示す概略ブロック図である。また、図２は、撮像装置１にアクセサリー４００を接続した構成の一例を示す概略ブロック図である。図２に示す構成においては、図１に示す撮像装置の構成の一部の記載を省略し、また図１に対して一部の構成の記載を追加している。
【００１４】
図１に示す撮像装置１（カメラ）は、レンズ交換式の撮像装置の一態様を示すものであり、交換レンズ２００と、交換レンズ２００を着脱可能なカメラボディ１００と、を備えている。この図１において、交換レンズ２００は、交換レンズ２００に設けられているレンズ側マウント部２０１を介して、カメラボディ１００に設けられているカメラボディ側マウント部１０１（接続部）に装着されている。
【００１５】
また、交換レンズ２００のレンズ側マウント部２０１の近傍には、複数の電気的な接続端子（マウント接点）が設けられている。この図１に示す交換レンズ２００には、６つの接続端子ＴＬ１〜ＴＬ６が設けられている。一方、カメラボディ１００のカメラボディ側マウント部１０１の近傍にも、複数の電気的な接続端子（マウント接点）が設けられている。この図１に示すカメラボディ１００には、６つの接続端子ＴＢ１〜ＴＢ６が設けられている。交換レンズ２００がカメラボディ１００に対して装着されると、これら交換レンズ２００の接続端子ＴＬ１〜ＴＬ６は、カメラボディ１００の６つの接続端子ＴＢ１〜ＴＢ６の互いに対応する接続端子に対して電気的に接続される。
また、交換レンズ２００がカメラボディ１００に対して装着されると、交換レンズ２００（レンズ側マウント部２０１）の導電性の筐体部を含むレンズ側マウントグランド２５０と、カメラボディ１００（カメラボディ側マウント部１０１）の導電性の筐体部を含むカメラボディ側マウントグランド（ＭＧＮＤ）１５０とが電気的に接続される。
【００１６】
＜交換レンズ２００の構成＞
続いて、交換レンズ２００の構成について詳しく説明する。
交換レンズ２００は、光学系２１１（図２）を内部に有するレンズ鏡筒２１０と、電源部２２０と、レンズ制御部２３０と、メモリー部２３５（図２）と、電圧検出部２３６と、レンズ操作部２４０と、光学系駆動部２６０とを備えている。
【００１７】
レンズ鏡筒２１０は、光学系２１１（図２）を内部に有する。上記の光学系２１１（図２）は、撮影用のレンズとして、ズーム用レンズ、焦点調整用レンズ（フォーカスレンズ）、光学像の像ぶれ補正用レンズ（ＶＲレンズ）等の複数のレンズ、及び絞り機構を含んで構成されている。
レンズ鏡筒２１０は、光学系２１１を駆動する光学系駆動部２６０などの、交換レンズ２００が備える他の構成を収容する。
電源部２２０は、カメラボディ１００から供給される電力の一部を光学系駆動部２６０の制御系電源の電力に変換するとともに、変換した電力を光学系駆動部２６０の制御系電源として供給する。
【００１８】
本実施形態における光学系駆動部２６０は、絞り機構駆動モーター（絞りＭ）２８１と絞り機構駆動モーター駆動部（絞りＭ駆動部）２８２とを備えている。
絞り機構駆動モーター２８１は、絞りＭ駆動部２８２からの駆動量に応じて、光学系２１１に含まれる絞り機構（不図示）を駆動する動力源であり、絞り機構の絞り開口径（開度、絞り値）を変更する。
絞りＭ駆動部２８２は、レンズ制御部２３０からの制御により絞り機構駆動モーター２８１を駆動して、光学系２１１に含まれる複数の絞り羽根を含む絞り機構（不図示）の絞り開口径（開度、絞り値）を変更する。
【００１９】
また、本実施形態における光学系駆動部２６０は、ＡＦ（Auto Focus）モーター（ＡＦＭ）２６１と、ＡＦ（Auto Focus）モーター（ＡＦＭ）駆動部２６２と、を備えている。
ＡＦモーター２６１は、光学系２１１に含まれるフォーカスレンズ（不図示）を駆動する動力源であり、フォーカスレンズの位置を変位させる。ＡＦＭ駆動部２６２は、レンズ制御部２３０の制御によりＡＦモーター２６１を駆動して、光学系２１１に含まれるフォーカスレンズ（不図示）の位置を変位させる。なお、交換レンズ２００は、ユーザーに手動操作されることによってフォーカスレンズの位置を移動させるフォーカスリングを備えている構成としてもよい。
【００２０】
また、本実施形態における光学系駆動部２６０は、ＶＲモーター（ＶＲＭ）２７１と、ＶＲＭ駆動部２７２と、を備えている。
ＶＲモーター２７１は、光学系２１１に含まれるＶＲレンズ（不図示）を駆動する動力源である。ＶＲＭ駆動部２７２は、レンズ制御部２３０の制御により、光学系２１１に含まれるＶＲレンズ（不図示）を駆動させる。
【００２１】
メモリー部２３５（図２）には、交換レンズ２００の光学系２１１の光学特性（焦点距離、開放Ｆ値等）や機能（オートフォーカス機能、絞り駆動方式、防振機能の有無等）等に関する情報であるレンズ情報が記憶されている。メモリー部２３５に記憶されているレンズ情報は、レンズ制御部２３０の制御により必要に応じて読み出される。
また、交換レンズ２００は、ユーザ（操作者）が操作可能な操作釦を有するレンズ操作部２４０を備えている。レンズ操作部は、ユーザ（操作者）が操作可能な操作釦と、操作釦の操作状態を操作信号に変換する変換部（スイッチ）を備える。
【００２２】
レンズ制御部２３０は、装着されたカメラボディ１００との間で通信処理を行うとともに、交換レンズ２００の各部を制御する。
【００２３】
また、レンズ制御部２３０は、ユーザーの操作に応じてレンズ操作部２４０の操作釦が押下されることにより、押下された操作状態を示す操作信号を受信した場合、レンズ操作部２４０が検出した動作の開始を指示する操作がされたことを示す信号を、装着されたカメラボディ１００に対して送信する。
なお、レンズ制御部２３０は、光学系２１１に含まれるズーム用レンズ（不図示）を駆動するそれぞれの駆動部（不図示）の制御も行う。
このような、交換レンズ２００は、カメラボディ１００が備えている撮像部１０２（図２）の受光面に像を結像させる。
【００２４】
次に、交換レンズ２００のレンズ側マウント部２０１を介して装着されたカメラボディ１００との間の電気的な接続について説明する。
交換レンズ２００の接続端子ＴＬ１は、カメラボディ１００の接続端子ＴＢ１に接続され、光学系２１１を駆動する光学系駆動部２６０等の駆動系回路に給電されるパワー系電源ＰＷＲの電圧がカメラボディ１００から供給される。また、交換レンズ２００の接続端子ＴＬ２は、カメラボディ１００の接続端子ＴＢ２に接続され、レンズ制御部２３０、メモリー部２３５等の制御系回路に給電される制御系電源Ｖｃｃの電圧がカメラボディ１００から供給される。
【００２５】
なお、交換レンズ２００内において、パワー系電源ＰＷＲから給電される負荷の最大消費電力は、制御系電源Ｖｃｃから給電される負荷の最大消費電力よりも多い。
また、電圧検出部２３６は、パワー系電源ＰＷＲの電圧を検出（モニター）して、検出した電圧（給電状態）を、レンズ制御部２３０に送信する。
【００２６】
パワー系電源ＰＷＲに対応するグランドであるパワー系グランドＰＧＮＤは、交換レンズ２００の接続端子ＴＬ６とカメラボディ１００の接続端子ＴＢ６とを介して接続されている。交換レンズ２００内において、パワー系グランドＰＧＮＤは、例えば光学系駆動部２６０、電圧検出部２３６等のそれぞれのグランド端子に接続されている。
なお、レンズ側マウントグランド２５０（ＭＧＮＤ）は、交換レンズ２００内において、制御系電源Ｖｃｃに対応するグランドとして、例えばレンズ制御部２３０、メモリー部２３５（図２）、レンズ操作部２４０等のそれぞれのグランド端子に接続されている。
【００２７】
交換レンズ２００の接続端子ＴＬ３、ＴＬ４、ＴＬ５は、カメラボディ１００の接続端子ＴＢ３、ＴＢ４、ＴＢ５にそれぞれ接続され、交換レンズ２００とカメラボディ１００との間の通信処理に関する信号が授受される。
レンズ制御部２３０は、接続端子ＴＬ３と接続端子ＴＢ３とを介して、カメラボディ１００と交換レンズ２００との装着を検出するためのハンドシェイク信号ＨＳを授受（通信）する。また、レンズ制御部２３０は、接続端子ＴＬ４と接続端子ＴＢ４とを介して、シリアル通信用のデータ信号ＤＡＴＡを授受（通信）する。また、レンズ制御部２３０は、接続端子ＴＬ５と接続端子ＴＢ５とを介して、シリアル通信用のクロック信号ＣＬＫをカメラボディ１００から受信する。
【００２８】
＜アクセサリー４００の構成＞
さらに、図２において示されるように、カメラボディ１００に接続されるアクセサリー４００がある。
アクセサリー４００は、発光部４１０、電源部４２０、アクセサリー制御部４３０、メモリー部４３５及びＧＰＳ部４６０を含む。アクセサリー４００は、光量が増えるように補助光を照射する照明装置である。また、アクセサリー４００は、配置されている位置を検出する位置検出装置（ＧＰＳ装置）である。なお、アクセサリー４００は、発光部４１０及びＧＰＳ部４６０のうち少なくとも何れか一方を備えるものであってもよい。
【００２９】
発光部４１０は、アクセサリー４００がカメラボディ１００に取り付けられた状態で、交換レンズ２００の光軸方向に向けて光を発することができる。発光部４１０は、照射方向を交換レンズ２００の光軸方向からずらして、他の方向に向けて光を発することもできる。例えば、発光部４１０は、キセノンランプ等のランプ光源又は発光ダイオード（ＬＥＤ）等の固体光源を含む。
電源部４２０は、カメラボディ１００から供給された電力の電圧を安定化（定電圧制御）する定電圧回路を含む。電源部４２０は、定電圧回路によって電圧が安定化された電力をアクセサリー制御部４３０へ供給する。
ＧＰＳ部４６０は、ＧＰＳシステムの衛星からの情報を受信して、受信した情報に基づいて変換した位置情報をアクセサリー制御部４３０へ供給する。
【００３０】
メモリー部４３５は、アクセサリー制御部４３０を動作させるプログラムや、アクセサリー４００の状態を示す情報、カメラ１０の状態を示す情報等の情報を記憶する。メモリー部４３５は、アクセサリー制御部４３０の制御処理に用いられる一時的な情報の記憶領域である。
アクセサリー制御部４３０は、メモリー部４３５に記憶されたプログラムに基づいてアクセサリー４００の各部の動作を制御するＣＰＵ（Ｃｅｎｔｒａｌ  Ｐｒｏｃｅｓｓｉｎｇ  Ｕｎｉｔ）と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の電子部品を含んで構成されている。
アクセサリー制御部４３０は、カメラ制御部１３０から供給された制御信号に従って、発光部４１０を発光させる発光制御を行う。
アクセサリー制御部４３０は、ＧＰＳ部４６０から供給されたＧＰＳシステムによる位置情報を、メモリー部４３５に記憶させる。
アクセサリー制御部４３０は、メモリー部４３５に記憶されている情報を読み出し、メモリー部４３５から読み出した情報をカメラ制御部１３０へ送信する。また、アクセサリー制御部４３０は、カメラ制御部１３０から受信した情報をメモリー部４３５に記憶させる。
【００３１】
＜カメラボディ１００の構成＞
次に、カメラボディ１００の構成について詳しく説明する。
カメラボディ１００は、電源部１２０と、カメラ制御部１３０と、電圧検出部１３６と、カメラ操作部１４０と、交換可能な電池１６０を収納するバッテリー部１６０Ｂと、を備えている。
【００３２】
また、本実施形態のカメラボディ１００は、図２に示すように、さらに、撮像部１０２と、シャッター駆動部１０５と、表示部１１０と、メモリー部１３５と、を備えている。
【００３３】
撮像部１０２（図２）は、撮像素子、及びＡ/Ｄ変換部等を含んで構成されており、装着された交換レンズ２００の光学系２１１（レンズ鏡筒２１０）を介して入射された被写体光束（光学像）を露光し、露光したデータをデジタル信号に変換して画像データを生成する撮影理を行う。このような撮像部１０２（図２）は、備えている撮像素子の受光面が受けた光量に基づいて撮像する。
なお、上述の撮像素子は、例えば、周知のＣＣＤ（Charge Coupled Device）又はＣＭＯＳ（Complementary Metal Oxide Semiconductor）センサ等を含んで構成されている。
【００３４】
表示部１１０（図２）は、液晶ディスプレイ、有機ＥＬ（Electro-Luminescence）ディスプレイ、又はＬＥＤ（Light  Emitting  Diode）等を含んで構成されている。このような表示部１１０は、撮像装置１の動作状態に基づく情報（制御情報）をユーザーに表示する。
例えば、本実施形態における表示部１１０は、電池１６０の残量を示す表示、電池交換を促す情報を、カメラ制御部１３０からの制御に従って、文字情報やアイコン情報として示す表示を行う。
本実施形態におけるバッテリー部１６０Ｂ（電池交換検出部）は、電池１６０の装着状態を検出し、検出した装着状態をカメラ制御部１３０に送る。バッテリー部１６０Ｂ（電池交換検出部）は、電池１６０が交換されたことを検出してもよい。バッテリー部１６０Ｂ（電池交換検出部）は、電池１６０が交換されたことをカメラ制御部１３０に送る。
【００３５】
図１に戻り、電池１６０は、バッテリー部１６０Ｂに収納されることでカメラボディ１００に搭載され、カメラボディ１００の各部及びカメラボディ１００に装着された交換レンズ２００の各部に対して給電する。例えば、電池１６０は、リチウムイオン２次電池又はニッケル水素２次電池等である。なお、電池１６０は、アルカリ電池等の１次電池であってもよい。なお、カメラボディ１００は、電池１６０から給電される構成に限られず、外部の直流電源（例えば、交流電源から直流電源に変換して電圧を供給するＡＣアダプター等）から給電されてもよい。
【００３６】
また、収納されている電池１６０の正極端子が接続されているバッテリー部１６０Ｂの端子は、スイッチ１２３を介して電源部１２０と接続端子ＴＢ１とに接続されている。これにより、電池１６０から供給される電圧（バッテリー電圧）に応じたパワー系電源ＰＷＲの電圧が、電源部１２０と接続端子ＴＢ１とにそれぞれ給電される。
また、パワー系電源ＰＷＲに対応するグランドであるパワー系グランドＰＧＮＤは、収納されている電池１６０の負極端子が接続されているバッテリー部１６０Ｂの端子と、接続端子ＴＢ６と、電源部１２０のグランド端子とにそれぞれ接続されている。
【００３７】
電源部１２０は、電池１６０から供給されるバッテリー電圧を、カメラボディ１００又はカメラボディ１００に装着される交換レンズ２００の各部に供給する電圧に変換する。例えば、電源部１２０は、バッテリー電圧を変換することで、交換レンズ２００のレンズ制御部２３０に供給する制御系電源Ｖｃｃの電圧を生成して、接続端子ＴＢ２に給電する。この制御系電源Ｖｃｃの電圧は、カメラボディ１００の電源部１２０から接続端子ＴＢ２と交換レンズ２００の接続端子ＴＬ２とを介して、交換レンズ２００のレンズ制御部２３０に供給される。
【００３８】
また、電源部１２０は、バッテリー電圧を変換することで、カメラボディ１００が備えている制御系回路（主にカメラ制御部１３０）に供給する制御系電源ＶＤＤの電圧を生成する。カメラ制御部１３０には、この生成した制御系電源ＶＤＤの電圧がダイオード１２２を介して電源部１２０に給電されるとともに、ダイオード１２１を介して電池１６０からバッテリー電圧が給電される。例えば、電源部１２０がカメラ制御部１３０に供給する制御系電源ＶＤＤの電圧を生成している際は、カメラ制御部１３０には、バッテリー電圧よりも高い電圧である制御系電源ＶＤＤの電圧が供給される。一方、例えばカメラボディ１００の主電源スイッチがオフされて、電源部１２０が制御系電源ＶＤＤの電圧の給電を停止した場合、制御系電源ＶＤＤの電圧がバッテリー電圧よりも低い電圧となり、カメラ制御部１３０には、バッテリー電圧が供給される。カメラ制御部１３０は、このバッテリー電圧の供給により、カメラボディ１００の主電源スイッチがオフ状態とされている間も、例えば時計回路の計時動作や所定の設定情報の記憶動作等を継続させる制御をする。
【００３９】
なお、カメラボディ側マウントグランド１５０（ＭＧＮＤ）は、カメラボディ１００内において、制御系電源ＶＤＤに対応するグランドとして、例えばカメラ制御部１３０、カメラ操作部１４０等を含む制御系回路（他に、表示部１１０、電圧検出部１３６等を含む制御系回路）のそれぞれのグランド端子に接続されている。
【００４０】
また、電圧検出部１３６は、パワー系電源ＰＷＲの電圧を検出（モニター）して、検出した電圧（給電状態）を、カメラ制御部１３０に送信する。
【００４１】
カメラ操作部１４０は、ユーザ（操作者）が操作可能な操作釦を有している。例えば、カメラ操作部１４０は、レリーズ釦、動作モードの選択釦（例えば、静止画撮影モード、動画撮影モード等を選択するモードダイヤル）、各種設定条件の選択釦（例えば、メニュー画面を表示させるメニュー釦、上下左右選択釦、確定釦、取消釦等）等を含んで構成されている。カメラ操作部１４０は、操作釦ごとに操作状態を示す操作信号を、カメラ制御部１３０に送信する。
【００４２】
なお、レリーズ釦は、撮影処理開始の指示を受け付ける操作部材であって、例えば、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
【００４３】
カメラ制御部１３０は、カメラボディ１００の各部を制御するとともに、装着された交換レンズ２００（レンズ制御部２３０）との間で通信処理を行うことにより、レンズ制御部２３０を介して交換レンズ２００の各部を制御する。すなわち、カメラ制御部１３０は、撮像装置１の各部を制御する。例えば、カメラ制御部１３０は、カメラ操作部１４０からの操作信号を検出して、検出した操作信号に基づいて撮像装置１の各部を制御する。
【００４４】
例えば、カメラ制御部１３０は、カメラ操作部１４０からの撮影モードを示す操作信号を検出することに応じて、設定されている撮影モード（例えば、静止画撮影モード、動画撮影モード等）で動作するように撮像部１０２を制御する。また、カメラ制御部１３０は、カメラ操作部１４０からの撮影指示を示す操作信号（例えば、レリーズ釦が押下（全押し）されたこと示す操作信号）を検出することに応じて、交換レンズ２００の光学系２１１を駆動させるための制御指令を、カメラ制御部１３０を介してレンズ制御部２３０に送信する。例えば、カメラ制御部１３０は、シーケンス処理部１０３から受信した制御指令として、交換レンズ２００の光学系２１１（例えばズーム用レンズ、フォーカス用レンズ、防振用レンズ等）を駆動させるための制御指令をレンズ制御部２３０に対して送信する。また、カメラ制御部１３０は、撮像部１０２において生成された画像データに対して各種の画像処理（例えば、ＷＢ（White Balance）調整、色補正、及び階調補正等）を実行した後、当該画像データに圧縮処理を実行してカメラボディ１００に搭載されている記憶媒体（不図示）に記録する。
【００４５】
また、カメラ制御部１３０は、レンズ制御部２３０との間で通信処理を行うことにより、交換レンズ２００が装着されているか否かを示す情報、光学系２１１のレンズ情報、レンズ鏡筒２１０又は光学系２１１の駆動状態を示す情報、レンズ操作部２４０の操作状態を示す情報等を受信し、受信した情報に基づいて撮像装置１の各部を制御する。
例えば、カメラ制御部１３０は、交換レンズ２００が装着されているか否かを示す情報を、ハンドシェイク信号ＨＳにより授受することで、交換レンズ２００が装着されているか否かの装着検出を行う。また、カメラ制御部１３０は、データ信号ＤＡＴＡ及びクロック信号ＣＬＫを用いたシリアル通信により、光学系２１１のレンズ情報、レンズ鏡筒２１０又は光学系２１１の駆動状態を示す情報、レンズ操作部２４０の操作状態を示す情報等を受信する。
【００４６】
また、本実施形態のカメラ制御部１３０は、アクセサリー４００を制御する。例えば、カメラ制御部１３０は、アクセサリー制御部４３０に制御情報を送り、カメラ制御部１３０から供給された制御情報に従って、発光部４１０を発光させる発光制御を撮影処理に応じて行う。また、カメラ制御部１３０は、アクセサリー制御部４３０に制御情報を送り、ＧＰＳ部４６０によって検出されたＧＰＳシステムによる位置情報を、アクセサリー制御部４３０から受信する。
【００４７】
次に、カメラ制御部１３０が備える機能構成について説明する。
カメラ制御部１３０は、画像処理部１３０ａ、表示制御部１３０ｂ、撮像制御部１３０ｃ、操作検出処理部１３０ｄ、電力制御部１３０ｅ、及び通信部１３０ｆを含む。
【００４８】
画像処理部１３０ａは、撮像部１０２から出力された画像信号に基づいて、画像データを生成し、メモリー部１３５に記憶させる。
【００４９】
表示制御部１３０ｂは、メモリー部１３５に記憶された画像データを一定時間間隔ごとに読み出し、読み出した画像データをリアルタイムに表示部１１０に表示させる。また、表示制御部１３０ｂは、電力制御部１３０ｅの判定結果に応じて、電池１６０の充電残量を表示部１１０に表示させる。
【００５０】
操作検出処理部１３０ｄは、カメラ操作部１４０から入力された操作情報信号に基づいてユーザーの操作を判定し、判定した情報をメモリーに記憶させる。操作検出処理部１３０ｄは、ユーザーからの操作によって必要になった各種処理の制御指令を出力する。操作検出処理部１３０ｄは、例えば、撮像処理の実行を要求する旨のカメラ操作部１４０から操作検出処理部１３０ｄへ入力された操作情報信号に基づいて、撮像処理の実行を要求する制御指令を撮像制御部１３０ｃへ出力する。
【００５１】
撮像制御部１３０ｃは、上記の制御指令に基づいて、撮像装置１の各部に撮像処理を実行させるための信号を、撮像装置１の各部へ出力する。撮像制御部１３０ｃは、例えば、撮像される画像を示す画像データを生成する処理を実行させる。撮像処理において、撮像制御部１３０ｃは、予めユーザーから入力された撮像条件に応じて、レンズ制御部２３０を介して光学系２１１のフォーカシング制御、露出制御、ズーミング制御、ＶＲ制御等の制御を行う。また、撮像制御部１３０ｃは、撮像処理において、シャッター駆動部１０５を制御することによって、シャッターが開いている時間（露光時間）を制御し、撮像部１０２の受光面に光学系２１１からの光を露光時間だけ照射させる。また、撮像制御部１３０ｃは、必要に応じて、アクセサリー４００を制御して、撮像タイミングに同期させてアクセサリー４００から光を照射させる。
本実施形態の撮像制御部１３０ｃ（撮影回数計数部）は、電池交換後に撮影した回数を計数し、計数した結果をメモリー部１３５に記憶させる。
【００５２】
通信部１３０ｆは、撮像装置１のうちカメラボディ１００の外部に配置される外部装置に対して、各外部装置の制御部と通信可能な状態で接続される。本実施形態の交換レンズ２００は、外部装置の１つであり、レンズ制御部２３０が通信部１３０ｆと通信可能に接続される。また、本実施形態のアクセサリー４００は、外部装置の１つであり、アクセサリー制御部４３０が通信部１３０ｆと通信可能に接続される。
【００５３】
電力制御部１３０ｅ（判定部）は、電池１６０から出力される電源電圧の検出結果に基づいて電池１６０における電力の残量を判定する。また、電力制御部１３０ｅは、カメラシステム１の各負荷部の消費電力を示す情報を収集し、カメラシステム１の各負荷部の消費電力を監視する。
【００５４】
さらに、電力制御部１３０ｅ（判定部）における機能について詳細に説明する。
電力制御部１３０ｅ（判定部）は、稼動させている機能に応じて検出された電源電圧Ｖｋに基づいて電池の蓄電量を判定する。電力制御部１３０ｅ（判定部）は、機能を働かせているか否か応じた期間の範囲で時間軸方向に移動する時間窓に従って、その時間窓の範囲にある電源電圧Ｖｋの検出値を移動平均する。
電力制御部１３０ｅ（判定部）は、電源電圧Ｖｋの検出値を移動平均した平均電圧に基づいて、電池の蓄電量を判定する。
【００５５】
本実施形態の一態様として、より具体的な例を示す。例えば、本実施形態の電力制御部１３０ｅ（判定部）は、撮影機能（第１機能）を働かせている第１の状態（撮影状態（非スリープ状態））と、撮影機能（第１機能）を休止させている第２の状態（スリープ状態）とを分けて、電圧検出部１３６に検出させた電源電圧Ｖｋに基づいて平均電圧を算出する。
【００５６】
まず、第１の状態（撮影状態）において、繰り返してそれぞれ検出された電源電圧Ｖｋを平均した第１平均電圧を、電力制御部１３０ｅ（判定部）が算出する。例えば、第１の状態（撮影状態）において上記の時間窓の幅を０．５秒にした場合、電力制御部１３０ｅ（判定部）は、０．５秒間に検出された電源電圧Ｖｋの平均値を算出する。
また、第２の状態において、繰り返してそれぞれ検出された電源電圧Ｖｋを平均した第２平均電圧Ｖｋｓ（ＡＶＥ）を、電力制御部１３０ｅ（判定部）が算出する。例えば、第２の状態（スリープ状態）において上記の時間窓の幅を０．５秒にした場合、電力制御部１３０ｅ（判定部）は、０．５秒間に検出された電源電圧Ｖｋの平均値を算出する。
電力制御部１３０ｅ（判定部）は、第1平均電圧Ｖｋａ（ＡＶＥ）と第２平均電圧Ｖｋｓ（ＡＶＥ）との関係に基づいて、電池の蓄電量を判定する。
【００５７】
本実施形態の電力制御部１３０ｅ（判定部）は、第1平均電圧Ｖｋａ（ＡＶＥ）と第２平均電圧Ｖｋｓ（ＡＶＥ）との差が、予め定められる第１の所定の値より大きいか否かを判定する。撮影状態とスリープ状態は、相補の関係にあることから、第1平均電圧Ｖｋａ（ＡＶＥ）を算出可能な期間と、第２平均電圧Ｖｋｓ（ＡＶＥ）を算出可能な期間とが異なる。
そこで、電力制御部１３０ｅ（判定部）は、過去に算出したそれぞれの平均電圧をメモリー部１３５に記憶させておいて、記憶させておいた各平均電圧に基づいて判定する。
【００５８】
また電力制御部１３０ｅ（判定部）は、第1平均電圧Ｖｋａ（ＡＶＥ）と第２平均電圧Ｖｋｓ（ＡＶＥ）との差が、第１の所定の値より大きいか否かを判定した結果と、第1平均電圧Ｖｋａ（ＡＶＥ）と第２平均電圧Ｖｋｓ（ＡＶＥ）との何れかが予め定められる第２の所定の値より小さいか否かを判定した結果とに基づいて電池の蓄電量を判定する。
例えば、第1平均電圧Ｖｋａ（ＡＶＥ）が予め定められる第２の所定の値（例えば、図３の電圧Ｖｔ１）より小さいか否かを判定した結果に基づいて電池の蓄電量を判定する。或は、第２平均電圧Ｖｋｓ（ＡＶＥ）が予め定められる第２の所定の値（例えば、図３の電圧Ｖｔ２）より小さいか否かを判定した結果に基づいて電池の蓄電量を判定する。
【００５９】
さらに、電力制御部１３０ｅ（判定部）は、第１の状態を継続させる第１の時間（例えば、図３の交換レンズを動作状態とする期間Ｔact）より短い第２の時間（例えば、図３の撮影処理の１シーケンスの期間Ｔ０）の範囲内で、一連の動作を行うことができる第２機能（例えば、撮影処理の機能）があり、第１の時間（期間Tact）より短く、且つ、第２の時間（期間Ｔ０）より長くなるように定められている第３の時間（例えば、期間TＡＶＥ）の範囲内に、それぞれ検出された電源電圧Ｖｋを平均して第1平均電圧Ｖｋａ（ＡＶＥ）を算出する。
【００６０】
本実施形態の電力制御部１３０ｅ（判定部）は、バッテリー部１６０Ｂ（電池交換検出部）により電池の交換が検出された時点から、予め定められる所定の期間において、第1平均電圧Ｖｋａ（ＡＶＥ）と第２平均電圧Ｖｋｓ（ＡＶＥ）との差に基づいて判定するものとしてもよい。例えば、電力制御部１３０ｅ（判定部）は、バッテリー部１６０Ｂにより電池の交換が検出された時点から、予め定められる所定の時間が経過するまでの期間を所定の期間としてもよい。又、例えば、電力制御部１３０ｅ（判定部）は、バッテリー部１６０Ｂにより電池の交換が検出された時点から、撮影した回数が所定の回数に達するまでの期間を所定の期間としてもよい。
また、例えば、電池が交換されてから所定の時間が経過するまで、電源電圧が比較的高い状態にあると見なすことができる。このように、電池が交換されてから所定の時間が経過するまでは、電源電圧が比較的高い状態にあると見なすことにより、上述の所定の時間が経過するまでの判定処理を簡素化することにより、演算処理量を低減させることができる。
【００６１】
さらに、本実施形態の電力制御部１３０ｅ（判定部）は、所定の期間が経過した後に、第1平均電圧Ｖｋａ（ＡＶＥ）と第２平均電圧Ｖｋｓ（ＡＶＥ）との差が予め定められる第１の所定の値より大きいか否かを判定し、且つ、第1平均電圧Ｖｋａ（ＡＶＥ）が予め定められる第２の所定の値より小さいか否かを判定する。
【００６２】
また、本実施形態の電力制御部１３０ｅ（判定部）は、電池の種別を示す種別情報に基づいて定められている所定の値により判定してもよい。
電池の種別、要するに電池の構成に応じて、電池の定格電圧などを含む特性情報が異なる。そこで、電力制御部１３０ｅ（判定部）は、電池の種別を示す種別情報に基づいて、予め定められている所定の値を電池の種別に応じて予め設けておいて、電池の種別情報に従って、電池の種別情報に対応する所定の値を切り換えて判定してもよい。
【００６３】
さらに、本実施形態の電力制御部１３０ｅ（判定部）は、メモリー部１３５に記憶されている第２平均電圧Ｖｋｓ（ＡＶＥ）Ｖｋｓ（ＡＶＥ）に基づいて、第２平均電圧Ｖｋｓ（ＡＶＥ）の外挿値を算出し、算出した第２平均電圧Ｖｋｓ（ＡＶＥ）の外挿値と、第１平均電圧Ｖｋａ（ＡＶＥ）との差に基づいて判定してもよい。
【００６４】
図３と図４を参照し、電池の劣化状態に応じた電源電圧の変化について説明する。
まず、電池が比較的新しい場合の電源電圧の変化について説明する。
図３は、カメラボディに搭載された電池が比較的新しい場合の電源電圧の変化を示す図である。
この図３は、時間の経過（横軸）に応じて変化する電池の電源電圧Ｖ（縦軸）と、その電池の電源電圧を平均化した平均電圧Ｖ（ＡＶＥ）（同縦軸）とを示す。
【００６５】
この図３に示される波形は、交換レンズ２００がスリープ状態に制御されている期間Ｔsleep（時刻ｔ０から時刻ｔ１まで）が示されており、期間Ｔsleepが終了した後、交換レンズ２００が動作状態（非スリープ状態）に制御されている期間Ｔact（時刻ｔ１から時刻ｔ３まで）が示されている。
例えば、期間Ｔsleepのように交換レンズ２００をスリープ状態にするには、交換レンズ２００がカメラボディ１００に装着された後、カメラボディ１００のメインスイッチ（電源スイッチ）をオフ状態にする。また、期間Ｔactのように交換レンズ２００を非スリープ状態にするには、交換レンズ２００がカメラボディ１００に装着された後、カメラボディ１００のメインスイッチ（電源スイッチ）をオン状態にする。
【００６６】
それぞれの期間において、撮影処理の１シーケンスの期間を期間Ｔ０として示す。上記の撮影処理を繰り返して、カメラボディ１００側の電気的な負荷を駆動した場合の電圧の変化を示す。撮影処理の１シーケンス（期間Ｔ０）の間に駆動される負荷がそれぞれ駆動されるタイミングに応じて、局所的に電圧が低下する変化が示されている。また、撮影処理の１シーケンス（期間Ｔ０）の間に駆動される負荷の種別や制御状態によって消費される電力量の傾向も異なることから、局所的な電圧低下を示す波形の形が異なっている。
【００６７】
また、交換レンズ２００がスリープ状態に制御されている期間Ｔsleepか、交換レンズ２００が動作状態（非スリープ状態）に制御されている期間Ｔactかに応じて、交換レンズ２００が消費する消費電力の有無が異なる。このことから、期間Ｔsleepと期間Ｔactとの境界において、この図３の波形にも示されるように検出した電圧の変化が不連続となっている。
このように、不連続な変化によって生じている電位差（平均電圧の差）は、期間Ｔsleepにおける平均電圧に基づいて、期間Ｔact側に外挿補間して得られた直線が示す電圧と、期間Ｔact側において算出された平均電圧との差から得られる。
また、この縦軸に示されている電圧Ｖｔ１とＶｔ２は、それぞれ、電池交換の警告を表示させるか否かを判定する閾値電圧と、交換レンズ２００の動作可能電圧範囲を示す閾値Ｖｔ２である。
【００６８】
続いて、電池が比較的劣化した場合の電源電圧の変化について説明する。
図４は、カメラボディに搭載された電池が比較的劣化した場合の電源電圧の変化を示す図である。
この図４は、前述の図３と同様に、時間の経過（横軸）に応じて変化する電池の電源電圧Ｖ（縦軸）と、その電池の電源電圧を平均化した平均電圧Ｖ（ＡＶＥ）（同縦軸）とを示す。
【００６９】
この図４に示される波形は、交換レンズ２００がスリープ状態に制御されている期間Ｔsleep１（時刻ｔ０から時刻ｔ１まで）が示されており、期間Ｔsleep１が終了した後、交換レンズ２００が動作状態（非スリープ状態）に制御されている期間Ｔact２（時刻ｔ１から時刻ｔ２まで）が示されている。さらに、期間Ｔact２が終了した後、交換レンズ２００がスリープ状態に制御されている期間Ｔsleep２（時刻ｔ２から時刻ｔ３まで）が示されている。
【００７０】
前述の図３と比べると、この図４の場合、電池１６０が劣化して十分な電力を得ることができなくなっていることにより、この図４の期間Ｔsleep１の電圧は、前述の図３の期間Ｔsleepの電圧に比べて低くなる。さらに、この図４の期間Ｔact２の電圧は、前述の図３の期間Ｔactの電圧に比べて、スリープ状態の電圧からの電圧低下が大きくなる。
このように、電池が比較的劣化した状態では、比較的新しいときに比べて内部抵抗が増えることから、同じ電流を流しても電圧降下量が多くなる。
【００７１】
撮像装置１における上記の時間関係を整理すると、次の関係がある。第１状態を継続させる第１の時間（例えば、交換レンズを動作状態とする期間Ｔact）より短い第２の時間（例えば、撮影処理の１シーケンスの期間Ｔ０）がある。撮像装置１は、この第２の時間（期間Ｔ０）の範囲内で、撮影処理の機能（第２機能）の一連の動作を行っている。
そこで、撮像装置１は、以下に示す演算を行うことにより、上記に示す電源電圧の変動の影響を低減する。
まず、第１の時間（期間Tact）より短く、且つ、第２の時間（期間Ｔ０）より長くなるように第３の時間（例えば、期間ＴＡＶＥ）を定める。
カメラボディ１００の電力制御部１３０ｅ（判定部）は、定められている第３の時間（例えば、期間ＴＡＶＥ）の範囲内に、それぞれ検出された電源電圧Ｖｋを平均して第1平均電圧Ｖｋａ（ＡＶＥ）を算出する。このように、検出された電圧を平均（移動平均）することにより、急峻な変動の影響を低減できる。
【００７２】
図５を参照し、カメラを起動してから撮影処理を可能とする状態に到るまでの処理を説明する。
【００７３】
先に、上記の処理の手順として、カメラボディ１００を起動してから撮影処理を可能とする状態に到るまでの概略を説明する。
【００７４】
まず、カメラ制御部は、カメラボディ１００及び、カメラボディ１００に接続されているアクセサリー（交換レンズ２００とアクセサリー４００）の初期化処理を行う。この初期化処理において、カメラボディ１００は、アクセサリー（交換レンズ２００とアクセサリー４００）に対する給電を開始する。また、カメラ制御部１３０は、この初期化処理を正常に終了することにより、カメラボディ１００及びアクセサリー（交換レンズ２００とアクセサリー４００）の状態を、撮影動作を行う状態に遷移させることが可能となる（ステップＳ１００）。
【００７５】
次に、ステップＳ１００の初期化処理を終えると、カメラ制御部１３０は、カメラボディ１００及び、アクセサリー（交換レンズ２００とアクセサリー４００）を制御して撮影処理を行う状態に遷移させる（ステップＳ２００）。
【００７６】
本実施形態としての処理の一例を示す。
続いて、上記の処理の手順として、カメラボディ１００を起動してから撮影処理を可能とする状態に到るまでの詳細を説明する。
図５は、カメラボディを起動してから撮影処理を可能とする状態に到るまでを示すフローチャートである。
電池１６０の劣化状態を判定する処理として、稼動状態にある機能に応じて検出された電源電圧Ｖｋを、機能に応じた範囲で移動平均した平均電圧に基づいて、電池１６０の蓄電量を判定する処理について、処理の手順に従って説明する。
【００７７】
電圧検出部１３６は、電源電圧Ｖｋを検出する（ステップＳ１０）。
電圧検出部１３６は、検出した電源電圧Ｖｋをメモリー部１３５に設けられている記憶領域に、電源電圧Ｖｋを検出した検出時刻情報に対応付けて記憶させる（ステップＳ２０）。
電力制御部１３０ｅ（判定部）は、メモリー部１３５に記憶されている現在の撮影モード情報を取得する（ステップＳ３０）。電力制御部１３０ｅ（判定部）は、メモリー部１３５に設けられている記憶領域に、取得した現在の撮影モード情報を、上記の検出時刻情報に対応付けて記憶させる。
電力制御部１３０ｅ（判定部）は、ステップＳ３０において取得した現在の動作モードが、スリープモードであるか否かについて判定する（ステップＳ４０）。
【００７８】
ステップＳ４０の判定の結果、現在の動作モードが、スリープモードではなく、即ち撮影機能動作モードであると判定された場合（ステップＳ４０：Ｙｅｓ）、電力制御部１３０ｅ（判定部）は、撮影機能動作モードにおける第1平均電圧Ｖｋａ（ＡＶＥ）を算出する（ステップＳ４１）。
電力制御部１３０ｅ（判定部）は、第1平均電圧Ｖｋａ（ＡＶＥ）を記憶させる（ステップＳ４２）。続いて、ステップＳ５０に進む。
【００７９】
ステップＳ４０の判定の結果、現在の動作モードが、スリープモードであり、即ち撮影機能動作モードではないと判定された場合（ステップＳ４０：Ｎｏ）、電力制御部１３０ｅ（判定部）は、スリープモードにおける第２平均電圧Ｖｋｓ（ＡＶＥ）を算出する（ステップＳ４６）。
電力制御部１３０ｅ（判定部）は、第２平均電圧Ｖｋｓ（ＡＶＥ）を記憶させる（ステップＳ４７）。続いて、ステップＳ５０に進む。
【００８０】
次に、電力制御部１３０ｅ（判定部）は、メモリー部１３５に記憶されている第２平均電圧Ｖｋｓ（ＡＶＥ）に基づいて、第２平均電圧Ｖｋｓ（ＡＶＥ）の外挿値を算出する。
電力制御部１３０ｅ（判定部）は、第１平均電圧Ｖｋａ（ＡＶＥ）と第２平均電圧Ｖｋｓ（ＡＶＥ）の外挿値との差を算出する（ステップＳ５０）。
【００８１】
次に、電力制御部１３０ｅ（判定部）は、電池交換からの経過期間の情報を取得する（ステップＳ６０）。電池交換からの経過期間の情報は、後述の何れか情報のうちから選択して予め設定しておく。
電力制御部１３０ｅ（判定部）は、電池交換からの経過期間が所定の期間を超えているか否かについて判定する（ステップＳ７０）。ステップＳ７０の判定の結果、電池交換からの経過期間が、まだ所定の期間を経過していないと判定した場合（ステップＳ７０：Ｎｏ）、電力制御部１３０ｅ（判定部）は、ステップＳ８０の処理に進む。
【００８２】
ステップＳ７０の判定の結果、電池交換からの経過期間が、すでに所定の期間を経過したと判定した場合（ステップＳ７０：Ｙｅｓ）、電力制御部１３０ｅ（判定部）は、次の条件を満たすか否かについて判定する。ここで、電力制御部１３０ｅ（判定部）は、第1平均電圧Ｖｋａ（ＡＶＥ）（又は、第２平均電圧Ｖｋｓ（ＡＶＥ））が所定の閾値を越えているか否かについて判定する（ステップＳ７５）。ステップＳ７５の判定の結果、第1平均電圧Ｖｋａ（ＡＶＥ）（又は、第２平均電圧Ｖｋｓ（ＡＶＥ））が所定の閾値を越えていないと判定した場合、電力制御部１３０ｅ（判定部）は、ステップＳ９０の処理に進む。
【００８３】
ステップＳ７５の判定の結果、第1平均電圧Ｖｋａ（ＡＶＥ）が所定の閾値を越えていると判定した場合（ステップＳ７０：Ｎｏ）、電力制御部１３０ｅ（判定部）は、次の条件を満たすか否かについて判定する。ここで、電力制御部１３０ｅ（判定部）は、第１平均電圧Ｖｋａ（ＡＶＥ）と第２平均電圧Ｖｋｓ（ＡＶＥ）との差が所定の閾値を越えているか否かを判定する（ステップＳ８０）。ステップＳ８０の判定の結果、第１平均電圧Ｖｋａ（ＡＶＥ）と第２平均電圧Ｖｋｓ（ＡＶＥ）との差が所定の閾値を越えていないと判定した場合（ステップＳ８０：Ｎｏ）、電力制御部１３０ｅ（判定部）は、撮影機能動作モードを継続し、本フローチャートに示す一連の処理を終える。
【００８４】
ステップＳ７５の判定の結果、第1平均電圧Ｖｋａ（ＡＶＥ）が所定の閾値を越えていないと判定した場合（ステップＳ８０：Ｎｏ）、又は、ステップＳ８０の判定の結果、第１平均電圧Ｖｋａ（ＡＶＥ）と第２平均電圧Ｖｋｓ（ＡＶＥ）との差が所定の閾値を越えていると判定した場合（ステップＳ８０：Ｎｏ）、電力制御部１３０ｅは、アクセサリー４００への給電を制限する（ステップＳ９０）。
次に、カメラ制御部１３０は、撮影終了処理を行う（ステップＳ９５）。
【００８５】
なお、上記のステップＳ６０における、第1平均電圧Ｖｋａ（ＡＶＥ）と第２平均電圧Ｖｋｓ（ＡＶＥ）との差に基づいて判定する期間を終える条件として、バッテリー部１６０Ｂにより電池の交換が検出された時点から、予め定められる所定の期間を定める。例えば、電力制御部１３０ｅ（判定部）は、バッテリー部１６０Ｂにより電池の交換が検出された時点から、予め定められる所定の時間が経過するまでの期間を所定の期間としてもよい。又、例えば、電力制御部１３０ｅ（判定部）は、バッテリー部１６０Ｂにより電池の交換が検出された時点から、撮影した回数が所定の回数に達するまでの期間を所定の期間としてもよい。
【００８６】
以上に示した実施形態により、撮像装置１は、電池の劣化状態を検出することができる。
【００８７】
なお、上記実施形態における、図１の撮像装置１は、レンズ交換式の撮像装置に限られるものではなく、図１に示す交換レンズ２００とカメラボディ１００とが一体化された構成の撮像装置であってもよい。
【００８８】
なお、図１、図２におけるカメラ制御部１３０又はレンズ制御部２３０は専用のハードウェアにより実現されるものであってもよく、また、メモリー及びＣＰＵ（中央演算装置）により構成され、上述の各部の機能を実現するためのプログラムをメモリーにロードして実行することによりその機能を実現させるものであってもよい。
【００８９】
また、図１、図２におけるカメラ制御部１３０又はレンズ制御部２３０の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００９０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００９１】
以上、この発明の実施形態を、図面を参照して詳述してきたが、具体的な構成はこの実施形態に限られるものではなく、この発明の要旨を逸脱しない範囲の設計等も含まれる。
【符号の説明】
【００９２】
１  撮像装置（カメラ）、１０２  撮像部、１００  カメラボディ、１１０  表示部、１３０  カメラ制御部、１３０ｅ  電力制御部（判定部）、１３６  電圧検出部、
１６０Ｂ  バッテリー部（電池交換検出部）、
２００  交換レンズ、２１０  レンズ鏡筒、２２０  電源部、２３０  レンズ制御部、
２４０  レンズ操作部、４００  アクセサリー
【図１】
2013152280.tif 000003
【図２】
2013152280.tif 000004
【図３】
2013152280.tif 000005
【図４】
2013152280.tif 000006
【図５】
2013152280.tif 000007